(57)【要約】  血液回路用コネクタ（１００）は、第１開口端（１２０）および第２開口端（１３０）が形成された筒状の本体部（１１０）と、第１開口端（１２０）に着脱可能に取り付けられる有底筒状の栓部（１４０）と、本体部（１１０）および栓部（１４０）を接続する接続部（１５０）とを備える。栓部（１４０）は、第１開口端（１２０）に取り付けられた状態において、第１開口端（１２０）の外周面（１１１）に遊嵌する側壁部（１４２）を含む。接続部（１５０）は、本体部（１１０）から遠ざかる方向に向けて膨出する湾曲部（１５５）を含む。取付状態において、湾曲部（１５５）を本体部（１１０）の外周面（１１１）に近づける方向に押し込んで伸長させることにより、側壁部（１４２）と外周面（１１１）との遊嵌が解除され、栓部（１４０）が第１開口端（１２０）から取り外される。
2015194032.tif 000002
【特許請求の範囲】
【請求項１】
内部に貫通孔が設けられることによって一端側に第１開口端および他端側に第２開口端が形成された筒状の本体部と、
前記第１開口端に着脱可能に取り付けられる有底筒状の栓部と、
前記本体部および前記栓部を接続する可撓性の接続部とを備え、
前記栓部は、前記第１開口端に取り付けられた取付状態において、前記第１開口端の外周面に遊嵌する側壁部と、前記本体部の軸線の延在方向に沿って前記第１開口端に対向する底部とを含み、
前記接続部は、前記栓部の前記側壁部に連結された第１固定端、前記本体部の外周面に連結された第２固定端、および、前記第１固定端と前記第２固定端との間に位置し、前記本体部から遠ざかる方向に向けて膨出する湾曲部を含み、
前記取付状態において、前記湾曲部を前記本体部の外周面に近づける方向に押し込んで伸長させることにより、前記栓部の前記側壁部と前記第１開口端の外周面との遊嵌が解除され、これにより前記栓部が前記第１開口端から取り外されるように構成されている、血液回路用コネクタ。
【請求項２】
前記接続部は、前記第１固定端と前記湾曲部との間に位置し、前記取付状態において撓み変形することによって弾性力を発現する弾性力発現部をさらに含み、
前記栓部は、当該栓部の軸線が前記本体部の軸線と合致することとなるように前記弾性力発現部によって発現される弾性力に抗して回動することで前記第１開口端に取り付けられ、
前記栓部が取り外される際に、前記栓部の前記側壁部と前記第１開口端の外周面との遊嵌が解除されることにより、前記弾性力発現部によって発現される弾性力に基づいた復元力によって前記栓部が回動し、これにより前記本体部の軸線上から退避する、請求項１に記載の血液回路用コネクタ。
【請求項３】
前記弾性力発現部が、略Ｓ字状の形状を有している、請求項２に記載の血液回路用コネクタ。
【請求項４】
前記本体部、前記栓部および前記接続部が、射出成形によって一体成形されている、請求項１から３のいずれか１項に記載の血液回路用コネクタ。
【発明の詳細な説明】
【技術分野】
【０００１】
本発明は、血液回路用コネクタに関し、特に、両端側からチューブが挿入可能な貫通孔を有する本体部と本体部の外周面に接続された栓部とを備え、本体部の一端側に当該栓部を着脱可能に取り付けることができる血液回路用コネクタに関する。
【背景技術】
【０００２】
血液透析等に用いられる体外循環回路は、動脈側血液回路と静脈側血液回路とによって構成される。動脈側血液回路は、血液透析器の一端側に接続されるとともに各種の装置を接続するチューブを含んでおり、当該チューブの先端には動脈側穿刺針に接続された別のコネクタを挿入するための血液回路用コネクタが装着されている。また、静脈側血液回路は、血液透析器の他端側に接続されるとともに各種の装置を接続するチューブを含んでおり、当該チューブの先端には、静脈側穿刺針に接続された別のコネクタを挿入するための血液回路用コネクタが装着されている。【０００３】
血液回路用コネクタは、その両端に上述のコネクタを挿入できるように貫通孔を有する筒状の形状を有している。また、血液回路用コネクタは、衛生面を考慮して清潔に保たれることが好ましく、特に、血液回路用コネクタにおける動脈側穿刺針または静脈側穿刺針に接続されたコネクタが挿入される一端側においては、雑菌による汚染を防止するために、使用時まで一端側の開口を閉塞する栓部が設けられる。【０００４】
一端側の開口を閉塞する栓部が設けられた血液回路用コネクタが開示された文献として、たとえば特開２０１１−５５９１１号公報（特許文献１）が挙げられる。【０００５】
特許文献１に開示された血液回路用コネクタは、内部に貫通孔を有し、一端側と他端側との間で分離可能な本体部と、本体部に接続された栓部とを備える。本体部は、一端側に貫通孔に連通する第１開口を有し、栓部は、本体部に取り付けられた取付状態において第１開口を閉塞する。【０００６】
このように構成することにより、プライミング処理時等の必要時まで第１開口を栓部で閉塞することができ、第１開口側に位置する本体部の開口端が雑菌で汚染されることを防止することができる。
【先行技術文献】
【特許文献】
【０００７】
【特許文献１】特開２０１１−５５９１１号公報
【発明の概要】
【発明が解決しようとする課題】
【０００８】
体外循環回路の使用に際しては、血液回路用コネクタの本体部の一端側にもう一方の血液回路のコネクタ（コネクタを繋ぐためのアダプタを含む）や穿刺針のコネクタが接続され、その場合には、本体部の一端側の開口を閉塞する栓部を取り外す必要がある。【０００９】
ここで、特許文献１に開示の構成では、血液回路用コネクタ自体は固定されていないため、本体部と栓部との係止を解除するためには、片手で本体部を把持して血液回路用コネクタを固定した状態で、栓部をもう一方の手で挟んで両手に相当程度の力をかけて引き抜く作業が必要となる。この作業は、手間や時間がかかってしまい、相当程度の負担を強いるものとなっている。【００１０】
本発明は、上記のような問題に鑑みてなされたものであり、本発明の目的は、容易に栓部を取り外すことができ、容易に体外循環回路を形成することができる血液回路用コネクタを提供することにある。
【課題を解決するための手段】
【００１１】
本発明に基づく血液回路用コネクタは、内部に貫通孔が設けられることによって一端側に第１開口端および他端側に第２開口端が形成された筒状の本体部と、上記第１開口端に着脱可能に取り付けられる有底筒状の栓部と、上記本体部および上記栓部を接続する可撓性の接続部とを備える。上記栓部は、上記第１開口端に取り付けられた取付状態において、上記第１開口端の外周面に遊嵌する側壁部と、上記本体部の軸線の延在方向に沿って上記第１開口端に対向する底部とを含む。上記接続部は、上記栓部の上記側壁部に連結された第１固定端、上記本体部の外周面に連結された第２固定端、および、上記第１固定端と上記第２固定端との間に位置し、上記本体部から遠ざかる方向に向けて膨出する湾曲部を含む。上記取付状態において、上記湾曲部を上記本体部の外周面に近づける方向に押し込んで伸長させることにより、上記栓部の上記側壁部と上記第１開口端の外周面との遊嵌が解除され、これにより上記栓部が上記第１開口端から取り外されるように構成されている。【００１２】
上記本発明に基づく血液回路用コネクタにあっては、上記接続部は、上記第１固定端と上記湾曲部との間に位置し、上記取付状態において撓み変形することによって弾性力を発現する弾性力発現部をさらに含むことが好ましい。この場合には、上記栓部は、当該栓部の軸線が上記本体部の軸線と合致することとなるように上記弾性力発現部によって発現される弾性力に抗して回動することで上記第１開口端に取り付けられることが好ましく、上記栓部が取り外される際に、上記栓部の上記側壁部と上記第１開口端の外周面との遊嵌が解除されることにより、上記弾性力発現部によって発現される弾性力に基づいた復元力によって上記栓部が回動し、これにより上記本体部の軸線上から退避することが好ましい。【００１３】
上記本発明に基づく血液回路用コネクタにあっては、上記弾性力発現部が、略Ｓ字状の形状を有していることが好ましい。【００１４】
上記本発明に基づく血液回路用コネクタにあっては、上記本体部、上記栓部および上記接続部が、射出成形によって一体成形されていることが好ましい。
【発明の効果】
【００１５】
本発明によれば、容易に栓部を取り外すことができ、容易に体外循環回路を形成することができる血液回路用コネクタを提供することができる。
【図面の簡単な説明】
【００１６】
【図１】本発明の実施の形態に係る血液回路用コネクタが用いられる体外循環回路の概略図である。
【図２】図１に示す血液回路用コネクタの斜視図である。
【図３】図１に示す血液回路用コネクタの正面図である。
【図４】図２に示すＩＶ−ＩＶ線に沿った断面図である。
【図５】図１に示す血液回路用コネクタの本体部の第１開口端に栓部が取り付けられた取付状態を示す概略図である。
【図６】図５に示すＶＩ−ＶＩ線に沿った断面図である。
【図７】図６に示すＶＩＩ−ＶＩＩ線に沿った断面図である。
【図８】図５に示す状態から血液回路用コネクタの他端側にチューブが挿入された状態を示す断面図である。
【図９】図８に示す状態から血液回路用コネクタの接続部の湾曲部を押動させる様子を示す断面図である。
【図１０】図９に示すＸ−Ｘ線に沿った断面図である。
【図１１】血液回路用コネクタの本体部の第１開口端から栓部が取り外された状態を示す図断面図である。
【図１２】プライミング処理時の血液回路用コネクタの使用状態の一例を示す概略図である。
【発明を実施するための形態】
【００１７】
以下、本発明の実施の形態について、図を参照して詳細に説明する。なお、以下に示す実施の形態においては、同一のまたは共通する部分について図中同一の符号を付し、その説明は繰り返さない。
【００１８】
（実施の形態）
図１は、本発明の実施の形態に係る血液回路用コネクタが用いられる体外循環回路の概略図である。図１を参照して、本実施の形態に係る血液回路用コネクタ１００が用いられる体外循環回路１について説明する。
【００１９】
図１に示すように、本実施の形態に係る血液回路用コネクタ１００が用いられる体外循環回路１は、ダイアライザー１０の一端側に動脈側血液回路２０が接続され、ダイアライザー１０の他端側に静脈側血液回路３０が接続されることによって構成される。
【００２０】
ダイアライザー１０は、透析膜を介して血液と透析液を接触させ、溶質の濃度差による拡散と、静力学的な圧力差による限外濾過によって、溶質の除去、補給および水分の除去を行なうことにより血液を浄化する装置である。
【００２１】
動脈側血液回路２０には、動脈側ドリップチャンバー４０、たとえば生理食塩水が充填された生理食塩水供給部６０、および血液回路用コネクタ１００がチューブによって接続されており、動脈側血液回路２０は血液ポンプ５０にセットされている。一方、静脈側血液回路３０には、静脈側ドリップチャンバー８０および血液回路用コネクタ１００がチューブによって接続されている。
【００２２】
動脈側ドリップチャンバー４０は、動脈側血液回路２０を流れる気泡がダイアライザー１０内に流入することを防止する。血液ポンプ５０は、動脈側血液回路２０内の循環液をダイアライザー１０に向けて送出する。静脈側ドリップチャンバー８０は、静脈側血液回路３０を流れる気泡が体内に流入することを防止する。
【００２３】
ここで、血液透析が実施される前にあっては、使用する体外循環回路１やこれに組み込まれる各種の装置や処理器の内部を生理食塩水等で洗浄するプライミング処理が行われる。
【００２４】
プライミング処理では、まず、生理食塩水供給部６０から動脈側血液回路２０の先端に位置する血液回路用コネクタ１００内まで生理食塩水を充填する。そして、動脈側ドリップチャンバー４０と血液回路用コネクタ１００の他端側とを接続するチューブの血液回路用コネクタ１００寄りの部分をクランプ２１にてクランプする。
【００２５】
続いて、血液ポンプ５０を作動させ、動脈側ドリップチャンバー４０、ダイアライザー１０、静脈側ドリップチャンバー８０を介して静脈側血液回路３０の先端に位置する血液回路用コネクタ１００内まで生理食塩水を充填する。そして、静脈側ドリップチャンバー８０と血液回路用コネクタ１００の他端側とを接続するチューブの血液回路用コネクタ１００寄りの部分をクランプ３１にてクランプする。
【００２６】
プライミング処理が終了した後は、動脈側血液回路２０にあっては、血液回路用コネクタ１００の一端側に動脈側穿刺針７０のコネクタを接続し、静脈側血液回路３０にあっては、静脈側穿刺針９０のコネクタを接続する。動脈側穿刺針７０および静脈側穿刺針９０は透析患者のシャント血管に予め穿刺されているものである。
【００２７】
図２は、図１に示す血液回路用コネクタの斜視図である。図３は、図１に示す血液回路用コネクタの正面図である。図４は、図２に示すＩＶ−ＩＶ線に沿った断面図である。図２から図４を参照して、本実施の形態に係る血液回路用コネクタ１００について説明する。
【００２８】
図２から図４に示すように、本実施の形態に係る血液回路用コネクタ１００は、本体部１１０、栓部１４０、接続部１５０およびフック部１６０を備える。血液回路用コネクタ１００は、たとえば射出成形品からなり、本体部１１０、栓部１４０、接続部１５０およびフック部１６０が一体に成形されている。また、血液回路用コネクタ１００の材質としては、たとえばプラスチック等の合成樹脂を採用することができる。
【００２９】
本体部１１０は、貫通孔１１２（図４参照）が設けられることによって一端側に第１開口端１２０および他端側に第２開口端１３０が形成された筒状の形状を有する。本体部１１０の外周面１１１には、本体部１１０の軸線の延在方向に沿って延在する複数の棒状の突起１１３が、本体部の周方向に互いに離間して配置されている。
【００３０】
本体部１１０の第１開口端１２０側には、貫通孔１１２の一端側となる第１開口１２１が設けられており、本体部１１０の第２開口端１３０側には、貫通孔の他端側となる第２開口１３１が設けられている。
【００３１】
また、本体部１１０の第１開口端１２０側の外周面１１１および第２開口端１３０側の外周面１１１には、本体部１１０の軸線の延在方向と垂直方向に突出して、周方向に沿って延在する一対の係止部１１４，１１５がそれぞれ設けられている。
【００３２】
一対の係止部１１４のそれぞれは、本体部１１０の軸線の延在方向と垂直方向に互いに対向するように設けられている。同様に、一対の係止部１１５のそれぞれも、本体部１１０の軸線の延在方向と垂直方向に互いに対向するように設けられている。なお、一対の係止部１１４は、たとえば穿刺針のコネクタを接続するためのネジ部として使用されてもよい。
【００３３】
栓部１４０は、第１開口端１２０に着脱可能に取り付けられる有底筒状の形状を有し、栓部１４０の軸線方向に沿って見た場合に円形状を有する底部１４１および十字形状を有する位置決め部１４３と、底部１４１の主表面から当該主表面に垂直方向に延在する円筒状の側壁部１４２とを含む。底部１４１、側壁部１４２および位置決め部１４３は、これらの中心軸が同軸となるように配置されている。
【００３４】
側壁部１４２の外径は、底部１４１の外径よりも小さく、これにより底部１４１の周縁部が側壁部１４２から周方向に突出する。また、位置決め部１４３は、側壁部１４２の内側に配置されている。位置決め部１４３の先端１４３ａ側（図４参照）の外形は、側壁部１４２の内径よりも小さく、位置決め部１４３の根元１４３ｂ側（図４参照）の外形は、側壁部１４２の内径とほぼ同一である。
【００３５】
これにより、栓部１４０が本体部１１０の第１開口端１２０に取り付けられた取付状態（図５、６参照）において、位置決め部１４３の先端１４３ａ側には、位置決め部１４３と側壁部１４２との間に第１開口端１２０を収容するための収容空間１４４が形成されることとなる。また、当該取付状態（図５、６参照）において、位置決め部１４３の根元１４３ｂ側は、第１開口端１２０にほぼ接触する。これにより栓部１４０の取り付け位置が決定される。
【００３６】
接続部１５０は、本体部１１０および栓部１４０を接続するための部位である。また、接続部１５０は、可撓性を有し、一部が湾曲した板状形状を有する。接続部１５０が伸縮することによって、栓部１４０をＤＲ１方向（図２参照）に移動させて本体部１１０の第１開口端１２０に取り付けることができるとともに、取り付けられた栓部１４０をＤＲ２方向（図２参照）に移動させて第１開口端１２０から取り外すことができる。このように、栓部１４０は、回動可能となるように構成されている。
【００３７】
接続部１５０は、栓部１４０の側壁部１４２に連結された第１固定端１５１、本体部１１０の外周面１１１に連結された第２固定端１５２、並びに第１固定端１５１と第２固定端１５２との間に位置し、第２固定端１５２側から順に配置される湾曲部１５５および弾性力発現部１５６を含む。
【００３８】
第１固定端１５１は、栓部１４０が取り外された取外し状態の血液回路用コネクタ１００を正面視した場合(図３参照）において、側壁部１４２の外側面のうち本体部１１０に近い側の面の略中央に位置し、栓部１４０が取り付けられた取付状態において、第１固定端１５１と第２固定端１５２とは、本体部１１０の軸線の延在方向に並んで配置される。
【００３９】
第２固定端１５２は、本体部１１０から離れる方向に傾斜する直線状の傾斜部１５３と、傾斜部１５３の略中央および本体部１１０の外周面１１１を本体部１１０の軸線の延在方向に沿って接続する補強部１５４とを含む。これより、第２固定端１５２は、本体部１１０の外周面１１１に強固に固定される。
【００４０】
湾曲部１５５は、本体部１１０から遠ざかる方向に向けて膨出するように設けられている。湾曲部１５５は伸縮可能であり、取付状態における湾曲部１５５の曲率は、取外し状態における湾曲部１５５の曲率よりも大きくなるように形成されている。
【００４１】
弾性力発現部１５６は、第１固定端１５１側に膨出する湾曲部を含む略Ｓ字形状を有する。弾性力発現部１５６は、第１固定端１５１と湾曲部１５５との間に位置し、取付状態において撓み変形することによって弾性力を発現する部位である。
【００４２】
フック部１６０は、プライミング処理時または血液透析が完了した後に、第１開口端１２０から生理食塩水または循環液を廃液する際に容器の口部に挿し込んで固定するための部位である（図１２参照）。
【００４３】
フック部１６０は、本体部１１０を挟んで接続部１５０に対向するように配置され、固定端１６１および自由端１６７を含む。また、フック部１６０は、可撓性を有し、一部が湾曲および屈曲した板状部と自由端１６７（先端）に位置する球状部とを含む。
【００４４】
フック部１６０の上述の板状部は、本体部１１０の外周面１１１から本体部の軸線の延在方向に垂直方向に延在する直線部１６２と、本体部１１０から遠ざかる方向に膨出する湾曲部１６３と、本体部１１０から遠ざかる方向に屈曲する屈曲部１６４とを有する。
【００４５】
直線部１６２および湾曲部１６３には、強度を確保するために、本体部１１０に向かう面の略中央に補強部１６５、１６６が設けられている。また、屈曲部１６４と本体部１１０との間には隙間が形成されており、この隙間に容器の口部を挿し込むことができる。
【００４６】
当該隙間に容器の口部が差し込まれた状態にあっては、フック部１６０は、屈曲部１６４が本体部１１０から遠ざかるように撓み変形する。
【００４７】
図５は、図１に示す血液回路用コネクタの本体部の第１開口端に栓部が取り付けられた取付状態を示す概略図である。図６は、図５に示すＶＩ−ＶＩ線に沿った断面図である。図７は、図６に示すＶＩＩ−ＶＩＩ線に沿った断面図である。図５から図７を参照して、血液回路用コネクタ１００において栓部１４０が第１開口端１２０に取り付けられた取付状態について説明する。
【００４８】
図５から図７に示すように、栓部１４０が第１開口端１２０を閉塞するように取り付けられた取付状態にあっては、栓部１４０の底部１４１は、本体部１１０の軸線の延在方向に沿って第１開口端１２０に対向するように配置され、収容空間１４４に第１開口端１２０が収容される。
【００４９】
図７に示すように、第１開口端１２０が収容空間１４４に収容された状態にあっては、一対の係止部１１４が側壁部１４２の内側面に当接することにより、栓部１４０を第１開口端１２０に係止する。この際、図６に示すように、位置決め部１４３の先端１４３ａおよび側壁部１４２の内側面と、第１開口端１２０の内周面との間には、隙間が形成され、これにより、栓部１４０の側壁部１４２は、第１開口端１２０の外周面１１１に遊嵌する。
【００５０】
また、栓部１４０を第１開口端１２０に取り付ける際には、接続部１５０が撓み変形し、栓部１４０は、当該栓部１４０の軸線が本体部１１０の軸線と合致することとなるように弾性力発現部１５６によって発現される弾性力に抗して、第１開口端１２０に回動して取り付けられる。これにより、弾性発現部１５６は、ＤＲ２方向（図２参照）に向けて栓部１４０を付勢した状態を維持する。
【００５１】
図８は、図５に示す状態から血液回路用コネクタの他端側にチューブが挿入された状態を示す断面図である。図８を参照して、血液回路用コネクタの他端側にチューブ１７１が挿入された状態について説明する。
【００５２】
図８に示すように、体外循環回路１を形成する際には、第２開口端１３０側から動脈側血液回路２０（図１参照）または静脈側血液回路３０（図１参照）の一部を構成するチューブ１７１が予め挿入された血液回路用コネクタ１００を準備する。この状態においては、栓部１４０が第１開口端１２０に取り付けられている。なお、チューブ１７１は、貫通孔１１２に液密に挿入されている。
【００５３】
図９は、図８に示す状態から血液回路用コネクタの接続部の湾曲部を押動させる様子を示す断面図である。図１０は、図９に示すＸ−Ｘ線に沿った断面図である。図１１は、血液回路用コネクタの本体部の第１開口端から栓部が取り外された状態を示す断面図である。図９から図１１を参照して、栓部１４０を第１開口端１２０から取り外す際の動作について説明する。
【００５４】
図９に示すように、栓部１４０を第１開口端１２０から取り外す際には、接続部１５０の湾曲部１５５を本体部１１０の外周面１１１に近づける方向に押し込む。この際、使用者は、片手の人差し指または中指がフック部１６０を覆うように把持し、親指でたとえば、図中に示すＤＲ３方向に湾曲部１５５を押動する。これにより、湾曲部１５５が伸長して、栓部１４０がフック部１６０から遠ざかり取外し状態に戻る方向（ＤＲ２方向：図２参照）に回動する。
【００５５】
栓部１４０の回動途中にあっては、栓部１４０の側壁部１４２の先端部において接続部１５０側の端部が、フック部１６０側の端部よりも第２開口端１３０側に位置するように、栓部１４０が傾斜している。側壁部１４２の内側面と本体部１１０の外周面１１１との間および位置決め部１４３と本体部１１０の内周面との間には、栓部１４０が第１開口端１２０に対して回動可能となるように隙間が形成されている。
【００５６】
この状態にあっては、図１０に示すように、一対の係止部１１４が栓部１４０の側壁部１４２の内側面に当接しているため、側壁部１４２と第１開口端１２０との遊嵌は、解除されていない。
【００５７】
接続部１５０の湾曲部１５５を本体部１１０の外周面１１１に近づける方向に上記のように親指でさらに押し込んだ場合には、湾曲部１５５がさらに伸長することにより、栓部１４０は一対の係止部１１４が栓部１４０の側壁部１４２の内側面に当接しない位置まで回動する。これにより、栓部１４０の側壁部１４２と第１開口端１２０との遊嵌が解除される。
【００５８】
図１１に示すように、栓部１４０の側壁部１４２と第１開口端１２０との遊嵌が解除された状態にあっては、弾性力発現部１５６によって発現された弾性力に基づいた復元力によって栓部１４０が本体部１１０の軸線上から退避するようにさらにＤＲ２方向に回動して、栓部１４０が、本体部の軸線の延在方向に沿って本体部１１０と重ならない位置に移動する。
【００５９】
このように、接続部１５０を本体部１１０に近づける方向に押し込むというワンタッチの動作で、栓部１４０を本体部１１０から容易に取り外すことができる。このワンタッチの動作は片手のみで行うことができるため、栓部１４０をよりスムーズに取り外すことができ、従来のように片手で本体部１１０を固定して他方の手で栓部１４０を挟んで取外す際に生じる手間や時間を削減することができる。
【００６０】
図１２は、プライミング処理時の血液回路用コネクタの使用状態の一例を示す概略図である。図１２を参照して、プライミング処理時の血液回路用コネクタの使用状態の一例について説明する。
【００６１】
図１２に示すように、第２開口端１３０側からチューブ１７１が挿入された状態において、栓部１４０が本体部１１０の第１開口端１２０から取り外された状態にあっては、第１開口端１２０が容器１８０の内部に向くように、フック部１６０が容器１８０の口部１８１に引っ掛けられる。
【００６２】
容器１８０に血液回路用コネクタ１００を引っ掛けて装着することにより、体外循環路１内を循環した生理食塩水等を容器１８０内に排出することができる。なお、血液透析が完了した場合にも上述のように容器１８０の口部１８１に血液回路用コネクタ１００を装着することにより、循環液を排出することができる。
【００６３】
このように、生理食塩水や循環液を排出する際において、栓部１４０が本体部の軸線の延在方向に沿って本体部１１０と重ならないことにより、第１開口端１２０側から容易に生理食塩水や循環液を排出することができる。
【００６４】
以上のような構成とすることにより、本実施の形態に係る血液回路用コネクタ１００にあっては、接続部１５０を本体部１１０に近づけるように押し込むことにより容易に栓部１４０を第１開口端１２０から取り外すことができる。また、本実施の形態に係る血液回路用コネクタ１００を用いることで体外循環回路を容易に形成することができる。
【００６５】
上述のように、本実施の形態に係る血液回路用コネクタ１００にあっては、弾性力発現部１５６を設ける構成を例示して説明したが、弾性力発現部１５６を設けない構成としてもよい。このような構成であっても、栓部１４０の側壁部１４２の外側面において底部１４１と反対側に位置する先端側に湾曲部１５５を連結することによって、湾曲部１５５の撓み変形による弾性力を利用して容易に栓部１４０を第１開口端１２０から取り外すことができる。
【００６６】
以上、本発明の実施の形態について説明したが、今回開示された実施の形態はすべての点で例示であって制限的なものではない。本発明の範囲は請求の範囲によって示され、請求の範囲と均等の意味および範囲内でのすべての変更が含まれる。
【符号の説明】
【００６７】
１  体外循環回路、１０  ダイアライザー、２０  動脈側血液回路、２１，３１  クランプ、３０  静脈側血液回路、４０  動脈側ドリップチャンバー、５０  血液ポンプ、６０  生理食塩水供給部、７０  動脈側穿刺針、８０  静脈側ドリップチャンバー、９０  静脈側穿刺針、１００  血液回路用コネクタ、１１０  本体部、１１１  外周面、１１２  貫通孔、１１３  突起、１１４，１１５  係止部、１２０  第１開口端、１２１  第１開口、１３０  第２開口端、１３１  第２開口、１４０  栓部、１４１  底部、１４２  側壁部、１４３  位置決め部、１４３ａ  先端、１４３ｂ  根元、１４４  収容空間、１５０  接続部、１５１  第１固定端、１５２  第２固定端、１５３  傾斜部、１５４  補強部、１５５  湾曲部、１５６  弾性力発現部、１６０  フック部、１６１  固定端、１６２  直線部、１６３  湾曲部、１６４  屈曲部、１６５  補強部、１６７  自由端、１７１  チューブ。
【図１】
2015194032.tif 000003
【図２】
2015194032.tif 000004
【図３】
2015194032.tif 000005
【図４】
2015194032.tif 000006
【図５】
2015194032.tif 000007
【図６】
2015194032.tif 000008
【図７】
2015194032.tif 000009
【図８】
2015194032.tif 000010
【図９】
2015194032.tif 000011
【図１０】
2015194032.tif 000012
【図１１】
2015194032.tif 000013
【図１２】
2015194032.tif 000014
【国際調査報告】
2015194032.tif 000015
2015194032.tif 000016
2015194032.tif 000017
2015194032.tif 000018